(57)【要約】　　　（修正有）【課題】ハウジングやハンドル部を保護する電動工具を提供する。【解決手段】ハウジング１の反先端工具側のテール部１ｃと、ハウジング１に固定されたハンドル部４と、ハウジング１にハンドル部４と異なる向きで固定される補助ハンドル部７とを備え、テール部１ｃとハンドル部４と補助ハンドル部７との三者でハウジング１を所望の置き場所１１に保持可能な電動工具において、テール部１ｃとハンドル部４とにおける所望の置き場所１１に接する箇所にそれぞれプロテクタ８，９が取り付けられる。【選択図】　　　図４
2004122279.tif 000002
【特許請求の範囲】
【請求項１】
ハウジングの反先端工具側のテール部と、ハウジングに固定されたハンドル部と、ハウジングにハンドル部と異なる向きで固定される補助ハンドル部とを備え、テール部とハンドル部と補助ハンドル部との三者でハウジングを所望の置き場所に保持可能な電動工具において、テール部とハンドル部とにおける所望の置き場所に接する箇所にそれぞれプロテクタが取り付けられたことを特徴とする電動工具。
【請求項２】
請求項１に記載の電動工具において、プロテクタが着脱可能に取り付けられたことを特徴とする電動工具。
【請求項３】
請求項１又は請求項２に記載の電動工具において、プロテクタが所望の置き場所に接し得るテール部の一部とハンドル部の一部をそれぞれ覆うように形成され、所望のプロテクタに軽量化用の切欠部が設けられたことを特徴とする電動工具。
【請求項４】
請求項１乃至請求項３のいずれかに記載の電動工具において、先端工具及び補助ハンドル部を取り外した状態でハウジングを所望の置き場所から浮上させ得るように、テール部のプロテクタが形成されたことを特徴とする電動工具。
【発明の詳細な説明】
【０００１】
【発明の属する技術分野】
本発明は、ポリッシャ、ドリル、サンダ等の電動工具に関する。
【０００２】
【従来の技術】
【特許文献１】特開２００２−１６４３号公報
【特許文献２】実開昭６３−４４７５５号公報
【０００３】
特許文献１に記載される電動工具であるポリッシャは、ハウジングの反先端工具側にテール部を有し、ハウジングの側面から互いに異方向に突出するハンドル部と補助ハンドル部とを備える。
【０００４】
特許文献２に記載される電動工具であるグラインダは、ハウジングの側面から互いに異方向に突出するハンドル部と補助ハンドル部とを備える。また、ハウジングのトップ部にプロテクタが固定される。
【０００５】
【発明が解決しようとする課題】
【０００６】
特許文献１に記載されるポリッシャは床等に置くと、ハウジング、ハンドル部等が傷つきやすいという問題がある。
【０００７】
また、特許文献２に記載されるグラインダは、床等に安定的に置くにはハウジングのトップ部を広い面積を有する平坦面に形成しなければならず、平坦面が小さい場合にはハウジングが傾いてハウジングやハンドル部が接地し傷つきやすいという問題がある。
【０００８】
従って、本発明は上記諸問題点を解決することができる電動工具を提供することを目的とする。
【０００９】
【課題を解決するための手段】
上記問題点を解決するため、請求項１の発明は、ハウジング（１）の反先端工具側のテール部（１ｃ）と、ハウジング（１）に固定されたハンドル部（４）と、ハウジング（１）にハンドル部（４）と異なる向きで固定される補助ハンドル部（７）とを備え、テール部（１ｃ）とハンドル部（４）と補助ハンドル部（７）との三者でハウジング（１）を所望の置き場所（１１）に保持可能な電動工具において、テール部（１ｃ）とハンドル部（４）とにおける所望の置き場所（１１）に接する箇所にそれぞれプロテクタ（８，９）が取り付けられた電動工具を採用する。
【００１０】
また、請求項２の発明は、請求項１に記載の電動工具において、プロテクタ（８，９）が着脱可能に取り付けられた電動工具を採用する。
【００１１】
また、請求項３の発明は、請求項１又は請求項２に記載の電動工具において、プロテクタ（８，９）が所望の置き場所（１１）に接し得るテール部（１ｃ）の一部とハンドル部（４）の一部をそれぞれ覆うように形成され、所望のプロテクタ（８）に軽量化用の切欠部（８ａ）が設けられた電動工具を採用する。
【００１２】
また、請求項４の発明は、請求項１乃至請求項３のいずれかに記載の電動工具において、先端工具（１２）及び補助ハンドル部（７）を取り外した状態でハウジング（１）を所望の置き場所（１１）から浮上させ得るように、テール部（１ｃ）のプロテクタ（８）が形成された電動工具を採用する。
【００１３】
【発明の実施の形態】
次に、本発明の実施の形態を図面を参照して説明する。
【００１４】
図１乃至図３に示すように、この電動工具であるポリッシャは、モータ、伝動装置等（図示せず）を格納したハウジング１を備える。
【００１５】
ハウジング１は、図１及び図２に示すように、その横長の胴部１ａの前後にヘッド部１ｂとテール部１ｃとを有する。胴部１ａ内にモータが格納され、ヘッド部１ｂからはモータにより回転する出力軸２が前方に突出し、この出力軸２に先端工具である研磨具１２が着脱自在に取り付けられる。図１乃至図３に示すように、ヘッド部１ｂとテール部１ｃは胴部１ａの前後にそれぞれ固定ネジ３により固定され、胴部１ａ内を前後から遮蔽する。
【００１６】
図１乃至図３に示すように、ハウジング１の下部には、この電動工具を手で保持するためのハンドル部４が固定される。ハンドル部４にはモータをＯＮ／ＯＦＦするためのトリガスイッチ５が設けられる。
【００１７】
胴部１ａとハンドル部４は一体化されており、合成樹脂等で形成される。
【００１８】
図１に示すように、ハウジング１のヘッド部１ｂの左右の側壁にはそれぞれネジ穴６ａを有する補助ハンドル部７の取付け部６が形成され、この左右いずれか一方のネジ穴６ａに補助ハンドル部７のネジ棒が螺入される。取付け部６はハウジングの左右両側面からボス状に突出する突起として形成される。図２及び図３に示すように、補助ハンドル部７はハウジング１に対してハンドル部４と異方向に突出するように設けられる。これにより、作業者はハンドル部４を片手で持ち、補助ハンドル部７を他の片手で持って、先端工具である研磨具１２で研磨作業を行うことができる。また、図４に示すように、作業を中断、中止したときに、電動工具をテール部１ｃとハンドル部４と補助ハンドル部７との三者を利用して安定的に置くことができる。
【００１９】
このように、電動工具を床等の所望の置き場所に対し頻繁に下ろしたり持上げたりすると、テール部１ｃやハンドル部４に傷がつきやすく、また落としたりすると破損しやすい。そこで、図１乃至図４に示すように、テール部１ｃとハンドル部４とにおける所望の置き場所に接する箇所には、それぞれプロテクタ８，９が取り付けられる。このように、傷つきやすいテール部１ｃやハンドル部４にプロテクタ８，９が装着されることにより、長期間の使用によって繰り返される接地や、衝撃から電動工具が保護される。プロテクタ８，９は、樹脂、ゴム等の非金属材、アルミニウム等の軽量金属材のような磨耗や割れに対して耐性のある材料により形成される。
【００２０】
なお、この実施の形態ではテール部１ｃとハンドル部４にのみプロテクタが設けられているが、補助ハンドル部７等の他の部分にもプロテクタを取り付けるようにしてもよい。
【００２１】
各プロテクタ８，９はハウジング１のテール部１ｃやハンドル部４に接着剤等により接着してもよいが、望ましくは、図３に示すように、止めネジ１０により着脱可能に取り付けられる。このため、プロテクタ８，９が長期間の使用により摩耗したり、衝撃によりひび割れが発生した場合には、止めネジ１０を外すことにより簡易に交換することができる。
【００２２】
また、各プロテクタ８，９は、テール部１ｃやハンドル部４の全表面を覆うように形成してもよいが、望ましくは、図４のごとく床１１等の所望の置き場所に置いたときに、図１乃至図３に示すような床１１に接し得るテール部１ｃの一部とハンドル部４の一部をそれぞれ覆うように形成される。これにより、プロテクタ８，９の装着範囲が必要最小限に留められ、電動工具の重量が軽減される。
【００２３】
さらに、テール部１ｃのプロテクタ８には、望ましくは、図１及び図３に示すように、軽量化用の切欠部８ａが設けられる。切欠部８ａはテール部１ｃの中央に例えば凹溝として形成される。これにより、プロテクタ８から余剰肉が除去され、電動工具の更なる軽量化が図られる。
【００２４】
上記補助ハンドル部７は、ネジを緩めたり締め付けたりすることにより、ハウジング１に対して着脱することができ、作業に不要な場合はハウジング１から取り外される。また、上記先端工具である研磨具１２も交換等に際し出力軸２から取り外される。このように補助ハンドル部７と研磨具１２を取り外した電動工具を床１１等の所望の置き場所に置く場合、ハウジング１が床１１に直に接触すると傷が付きやすくなる。
【００２５】
そこで、図５に示すように、研磨具１２等の先端工具及び補助ハンドル部７を取り外した状態でハウジング１を所望の置き場所から浮上させ得るように、テール部１ｃのプロテクタ８が形成される。具体的には、テール部１ｃのプロテクタ８の左右両端（図５中テール部の上下両端）にハウジング１の胴部１ａの左右の側面から張り出すように凸部８ｂが形成される。これにより、電動工具から先端工具や補助ハンドル部７を取り外して床１１に放置した場合でも、凸部８ｂが床１１に接触してハウジング１を床１１上に浮き上がらせ、ハウジング１を摩耗、衝撃等から保護する。このとき、ヘッド部１ｂにおける補助ハンドル部７の取付け部６も凸部８ｂと同様な作用を果たしてハウジング１を床１１上に浮き上がらせる。
【００２６】
次に、上記構成の電動工具の作用について説明する。
【００２７】
ハウジング１のヘッド部１ｂから突出する出力軸２に研磨作業をするための研磨具１２を取り付け、ヘッド部１ｂの側面のネジ穴６ａに補助ハンドル部７を取り付ける。
【００２８】
トリガスイッチ５を引いて図示しないモータを起動させると、出力軸２が回転し、研磨具１２等の先端工具が出力軸２と共に回転する。
【００２９】
作業者は、ハンドル部４を片手で保持し補助ハンドル部７をもう一方の片手で保持してハウジング１を支えつつ、研磨具１２を図示しないワークに押し付け研磨を行う。
【００３０】
作業の中断、中止の際作業者は電動工具を床１１等に置くが、その場合は、図４に示すように、先端工具である研磨具１２が傷まないように先端工具を上に向けた状態で置く。すなわち、テール部１ｃ、ハンドル部４、補助ハンドル部７の三者が床１１に接触するように置く。電動工具はこのように三本の脚で支えられるので、安定した状態で床１１上に置かれる。
【００３１】
また、テール部１ｃ、ハンドル部４には床１１に接する箇所にプロテクタ８，９が取り付けられているので、樹脂等で作られたハウジング１の胴部１ａと床１１との直接接触が回避される事になる。従って、電動工具の長期間の繰り返し使用に対しても、ハウジング１や、ハンドル部４の摩耗、割れ等が防止される。
【００３２】
プロテクタ８，９が摩耗したり、割れを生じたりした場合は、外部から固定ネジ１０を緩めて新しいプロテクタ８，９と付け換えることができる。
【００３３】
図５に示すように、先端工具である研磨具１２や補助ハンドル部７をハウジング１から外した状態で電動工具を床１１に置く場合もあるが、そのときは、テール部１ｃの両側から突出したプロテクタ８の凸部８ｂが床１１に接し、また、取付け部６が床１１に接し、ハウジング１を床１１上に浮上させるので、ハウジング１の胴部１ａ等が摩耗や衝撃から守られる。
【００３４】
【発明の効果】
請求項１に係る発明によれば、ハウジングの反先端工具側のテール部と、ハウジングに固定されたハンドル部と、ハウジングにハンドル部と異なる向きで固定される補助ハンドル部とを備え、テール部とハンドル部と補助ハンドル部との三者でハウジングを所望の置き場所に保持可能な電動工具において、テール部とハンドル部とにおける所望の置き場所に接する箇所にそれぞれプロテクタが取り付けられた電動工具であるから、電動工具を床等の所望の置き場所にテール部とハンドル部と補助ハンドル部との三者を利用して安定的に置くことができ、これら三者のうち傷つきやすいテール部とハンドル部にそれぞれプロテクタが装着されるので、長期間の使用によって繰り返される接地や、衝撃から電動工具が保護される。従って、電動工具の耐久性が向上すると共に、外観品質も長期にわたり維持される。
【００３５】
請求項２に係る発明によれば、請求項１に記載の電動工具において、プロテクタが着脱可能に取り付けられたことから、プロテクタが長期間の使用により摩耗したり、衝撃によりひび割れが発生した場合には、簡易に交換することができる。
【００３６】
請求項３に係る発明によれば、請求項１又は請求項２に記載の電動工具において、プロテクタが所望の置き場所に接し得るテール部の一部とハンドル部の一部をそれぞれ覆うように形成され、所望のプロテクタに軽量化用の切欠部が設けられたことから、プロテクタの装着範囲を必要最小限に留めると共に不要部を切欠部により除去することができ、従って電動工具を軽量化することができる。
【００３７】
請求項４に係る発明によれば、請求項１乃至請求項３のいずれかに記載の電動工具において、先端工具及び補助ハンドル部を取り外した状態でハウジングを所望の置き場所から浮上させ得るように、テール部のプロテクタが形成されたことから、電動工具から先端工具や補助ハンドルを取り外して床等に放置した場合でも、ハウジングがプロテクタにより床等から浮き上がるように支持されるため、ハウジングが摩耗、衝撃等から守られる。
【図面の簡単な説明】
【図１】本発明に係る電動工具を先端工具と共に示す正面図である。
【図２】図１に示す電動工具の平面図である。
【図３】図１に示す電動工具の側面図である。
【図４】図１に示す電動工具を所望の置き場所に置いた状態を示す斜視図である。
【図５】図１に示す電動工具から先端工具と補助ハンドル部を除いた状態で所望の置き場所に置いた状態を示す説明図である。
【符号の説明】
１…ハウジング
１ｃ…テール部
４…ハンドル部
７…補助ハンドル部
８，９…プロテクタ
８ａ…切欠部
１１…床
１２…研磨具
【図１】
2004122279.tif 000003
【図２】
2004122279.tif 000004
【図３】
2004122279.tif 000005
【図４】
2004122279.tif 000006
【図５】
2004122279.tif 000007